(57)【特許請求の範囲】
【請求項１】
成形品（２）の製造中に開ループ又は閉ループの方式で射出工程を制御する方法であって、
溶融材料（６）が、少なくとも１つの射出装置（５）によって、成形型（４）によって囲まれた少なくとも１つのキャビティ（３）中に、少なくとも１つのノズル（８）を通じて注入される、射出工程を制御する方法において、
前記少なくとも１つのキャビティ（３）は、第１の定義された状態から第２の定義された状態に変化可能な二値検出器（１４）が接続される、少なくとも１つの測定点（１３）を含み、
前記二値検出器（１４）に対して、トリガー値を設定する必要はなく、
前記二値検出器（１４）は、前記測定点（１３）への前記溶融材料（６）の到着時刻ｔに状態変化を起こし、
前記状態変化に基づいて、開ループ又は閉ループの制御装置（１０）が、前記少なくとも１つの射出装置（５）の射出速度Ｖ、前記射出工程前の前記溶融材料（６）の温度Ｔ、前記少なくとも１つのノズル（８）での前記射出工程の終了、及び／又は開ループ又は閉ループの方式における後続の工程の開始を制御することを特徴とする、射出工程を制御する方法。
【請求項２】
前記開ループ又は閉ループの制御装置（１０）は、前記二値検出器（１４）の前記状態変化に基づいて、前記射出工程の停止、及び次の方法ステップの開始、特に、保持フェーズ、圧縮射出工程の場合では圧縮、多成分成形の成形品の製造の場合では次の射出工程の開始、又は流体射出工程の場合では流体射出の開始を制御することを特徴とする、請求項１に記載の射出工程を制御する方法。
【請求項３】
前記溶融材料（６）が、２つ以上のノズル（８）を通じて、同じ前記キャビティ（３）中に同時に注入され、結果として、２つの溶融物前面（１５）が出会う位置のそれぞれに継ぎ目（１７）が形成され、
前記開ループ又は閉ループの制御装置（１０）は、前記継ぎ目（１７）を所定の位置に位置付けるために、前記二値検出器（１４）の前記状態変化に基づいて少なくとも１つの前記ノズル（８）の射出の開始及び／又は終了を制御することを特徴とする、請求項１又は請求項２に記載の射出工程を制御する方法。
【請求項４】
前記溶融材料（６）が、２つ以上のノズル（８）を通じて、同じキャビティ（３）中に同時に注入され、結果として、２つの溶融物前面（１５）が出会う位置それぞれに継ぎ目（１７）が形成され、
２つ以上の測定点（１３）と接続される、前記２つ以上の二値検出器（１４）が取り付けられ、前記２つ以上の二値検出器は、前記溶融物前面（１５）が前記測定点（１３）に進むと、状態変化を起こし、
前記開ループ又は閉ループの制御装置（１０）は、前記継ぎ目（１７）を所定の位置に位置付けるために、前記状態変化に基づいて、前記キャビティ（３）の中への射出の前の位置にある前記溶融材料（６）の温度Ｔを制御することを特徴とする、請求項１又は請求項２に記載の射出工程を制御する方法。
【請求項５】
前記射出前の前記溶融材料（６）の前記温度Ｔは、複数の前記溶融物前面（１５）が、同時に前記測定点（１３）に到着するように調節されることを特徴とする、請求項４に記載の射出工程を制御する方法。
【請求項６】
２つ以上の前記射出装置（５）のそれぞれが、同じ又は異なる溶融材料（６）を少なくとも１つのノズル（８）に注入することを特徴とする、請求項１から請求項５までのいずれか一項に記載の射出工程を制御する方法。
【請求項７】
前記開ループ又は閉ループの制御装置（１０）は、複数の前記射出装置（５）の前記射出速度Ｖを制御することを特徴とする、請求項６に記載の射出工程を制御する方法。
【請求項８】
前記溶融材料（６）が、２つ以上の前記ノズル（８）を通じて、２つ以上の前記キャビティ（３）中に同時に注入され、
各キャビティ（３）は、それぞれ前記二値検出器（１４）が接続される少なくとも１つの測定点（１３）を含み、
前記二値検出器（１４）は、前記測定点（１３）それぞれへの前記溶融物前面（１５）の到着時に、状態変化を起こし、
前記状態変化に基づいて、前記開ループ又は閉ループの制御装置（１０）は、少なくとも１つの前記ノズル（８）での前記射出を終了させる、及び／又は前記射出前の前記溶融材料（６）の温度Ｔを制御することを特徴とする、請求項１から請求項７までのいずれか一項に記載の射出工程を制御する方法。
【請求項９】
前記溶融材料（６）の前記温度Ｔは、前記溶融物前面（１５）がすべての前記測定点（１３）に同時に到着するように調節されることを特徴とする、請求項８に記載の射出工程を制御する方法。
【請求項１０】
前記二値検出器（１４）は、機械的に、光学的に、熱的に、容量的に、誘導的に、電磁的に、電気的に、又は化学的に前記時刻ｔを捕捉する測定要素を含むことを特徴とする、請求項１から請求項９までのいずれか一項に記載の射出工程を制御する方法。
【請求項１１】
前記二値検出器（１４）は、前記成形型（４）中で直接前記キャビティ（３）に接する前記測定点（１３）、前記成形型壁（４）中で前記キャビティ（３）に接近する前記測定点（１３）、突き出しピンの背後にある前記測定点（１３）、又は測定用ピン（１８）の背後にある前記測定点（１３）への前記溶融物前面（１５）の到着を捕捉することを特徴とする、請求項１から請求項１０までのいずれか一項に記載の射出工程を制御する方法。
【請求項１２】
前記少なくとも１つの測定点（１３）が、前記溶融材料（６）の流路の終点に接近して配置されることを特徴とする、請求項１から請求項１１までのいずれか一項に記載の射出工程を制御する方法。
【請求項１３】
前記二値検出器（１４）は、前記開ループ又は閉ループの制御装置（１０）に、単一の絶縁銅線を介して信号を伝達することを特徴とする、請求項１から請求項１２までのいずれか一項に記載の射出工程を制御する方法。
【発明の詳細な説明】
【技術分野】
【０００１】
本発明は、成形品の製造中に、開ループ又は閉ループの方式で射出工程を制御する方法に関するものである。この方法では、溶融材料が、少なくとも１つの射出装置によって、成形型によって囲まれた少なくとも１つのキャビティ中に、少なくとも１つのノズルを通じて注入される。
【背景技術】
【０００２】
射出成形工程における開ループ制御及び閉ループ制御は、一般に、成形型中のキャビティが溶融材料によって充填される射出フェーズと、材料の収縮を補う保持フェーズと、次の、溶融材料が最終的に凝固して所望の成形品になり、成形型を最終的に開いて仕上がった成形品を取り出す冷却フェーズと、を含む。これらのすべてのフェーズでは、完成した成形品が、安定して再現可能な品質を備えることを保証する開ループ制御及び閉ループ制御が必要となる。
【０００３】
別の製造工程である射出圧縮では、射出工程の後に、圧縮工程が続く。しかし、流体射出技術又は投射技術によれば、成形品は、キャビティを用いて製造される。これらの製造工程では、射出工程の後に、次の工程ステップが続き、その間に熱い溶融樹脂が、流体に置き換えられる。
【０００４】
これらの工程及び以降の工程のすべてにおいて、閉ループ制御及び開ループ制御によって、射出フェーズの間、特に、キャビティが最適に充填されることを保証する必要がある。例えば、射出成型中に、キャビティは完全に充填すべきであるが、過剰に充填すべきはでない。複数のキャビティが存在する場合には、このことは、同時にすべてのキャビティに適用されることは明らかである。
【０００５】
キャビティ中への充填量は、それに関する限りでは、射出スクリューの射出速度と、及びキャビティ中への射出の前のノズルの温度とに依存する。これによって、溶融樹脂の粘度が決定され、溶融樹脂の粘度が流れの挙動に影響を与える。充填工程は、正確な時刻に、最終的に停止させる必要がある。
【０００６】
独国特許出願公開第２３５８９１１号明細書に説明されている方法には、圧力及び温度の測定値に基づく射出成型機械の閉ループ装置が述べられている。異なる点での温度測定に基づいて、流頭速度が決定され、流頭速度に基づいて、最終的に次のサイクルのために、制御弁が設置される。
【０００７】
欧州特許出願公開第８９７７８６号明細書に説明されている射出成型プラントを制御するための方法も同様に知られている。この方法は、同様に、次のサイクルのために、圧力測定値に基づいて異なる制御パラメータを制御する。
【０００８】
これらの方法はすべて、非常に複雑であって、センサが必要であり、センサによって測定値を連続的に取り込み、測定値を評価して処理する必要がある。
【０００９】
さらに、追加の方法では、圧力又は温度センサを用いて、溶融物前面の到着を決定することができる。例えば、国際公開第２０１０／０１７９４０号及び特開昭６３−２３９０１１号公報では、この目的のために圧力センサが用いられている。また、国際公開第２００６／０００４１１号、国際公開第０２／０８１１７７号、及び独国特許出願公開第２３５８９１１号明細書では、１つ又は複数の温度センサが用いられている。オーストリア国特許第３２８１７３号明細書では、一対のセンサの用いて流頭方向が決定され、センサによって温度カーブ又は圧力カーブを得ることができる。ここで、この方法によれば、全体の測定カーブをケース毎に取り込んで、ケース・バイ・ケースで解釈することが必要であることに注意しなければならない。次いで、温度測定中に、成形型温度に、及び融解温度に依存するトリガーを設定しなければならない。したがって、温度センサは、訓練された要員によって調節された後にのみ、流頭検出センサとして用いることができる。成形型の温度変更時には、温度閾値を適合させる必要がある。また、射出中に流頭が到着したことを示すためには、事前に設定される一定の温度差に達する必要がある。しかし、これにも解釈及び評価が含まれる。なぜなら、受け取った測定値は、再計算して温度カーブにし、互いに比較することが必要であり、その後にようやく流頭が到着したことを示すことができるからである。温度センサによる流頭検出には、常に、評価及び／又は成形型の温度への適合化が必要であるが、それは非常に困難である。
【００１０】
圧力センサとして、一方では、複数の成形型の内部圧力センサが可能であり、キャビティに向けて開いた、キャビティ壁の前面と同一平面上の穴中に取り付けることができる。これらセンサは、その背後での注型に対していかなる影響も残さないようにするために、表面形状に対する要求が高いので、これらは、非常に高価である。他方では、いわゆる測定用だぼ（ｍｅａｓｕｒｉｎｇ  ｄｏｗｅｌｓ）があり、それらは、キャビティから成形型壁中に後退させて配置される。この測定用だぼは、その穴中に固定され、その測定信号は、センサ前面の到着を確実に決定することができるように、それぞれの取り付け位置に対応する、多くの予備試験で解釈し評価する必要がある。さらに、この測定用だぼは、前述した成形型内部の圧力センサより実質的に安価というわけでもなく、依然として高価すぎる。
【００１１】
圧力センサ及び温度センサを両方ともに用いて、時間依存の測定カーブを常に取り込んで評価する。これには、高品質のセンサだけでなく、高機能の評価ソフトウェアも必要であり、ソフトウェアで、個々の設定を行う必要がある。これは、高価であり、複雑である。
【００１２】
スイス国特許出願公開第６６７８４３号明細書には、光学的光波センサが、キャビティ表面上に取り付けられ、そこでは、その反対側のキャビティ表面上に、信号がなくなるとすぐに流頭の存在を決定するために、光波受光器が取り付けられる。この構成の欠点は、２つの穴をキャビティ中に開ける必要があり、その両方ともが、表面に合わせて閉じる必要があることである。この方法は、透明な材料には適さない。さらに、あまりにも込み入って信頼性がなく高価であり、そして複雑すぎる。
【先行技術文献】
【特許文献】
【００１３】
【特許文献１】独国特許出願公開第２３５８９１１号明細書
【特許文献２】欧州特許出願公開第８９７７８６号明細書
【特許文献３】国際公開第２０１０／０１７９４０号
【特許文献４】特開昭６３−２３９０１１号公報
【特許文献５】国際公開第２００６／０００４１１号
【特許文献６】国際公開第０２／０８１１７７号
【特許文献７】オーストリア国特許第３２８１７３号明細書
【特許文献８】スイス国特許出願公開第６６７８４３号明細書
【発明の概要】
【発明が解決しようとする課題】
【００１４】
本発明の目的は、上記に述べた方法を述べることであり、それは、測定カーブの測定による取り込み、及びそれに対応する評価を実施せず、具体的には、機能不良に陥りやすい高価で技術的に進んだ測定収集システムを用いることなく、達成することである。この方法は、一方では、制御に必要な計装の費用効率をより高くし、他方では、工程をより確実にさせるように働く。
【００１５】
さらに、本方法は、溶融物温度、成形型温度、測定点の領域中でのキャビティの幾何的形状、及び溶融物の透明度などの工程パラメータに無関係であって、汎用に適用可能なことになる。ユーザが行う工程に固有の設定の必要が、全くなくなることになる。
【課題を解決するための手段】
【００１６】
本発明の目的は、特許請求の範囲の独立請求項の特徴によって解決される。
【００１７】
本発明が基づく着想は、少なくとも１つのキャビティが、測定点を含み、それは、二値検出器とも呼ばれる、二値スイッチに結合されることに在る。二値スイッチ又は検出器は、第１の定義された状態から第２の定義された状態に変化することができる検出器である。ここで、これらの状態は、普遍的である、すなわち工程パラメータに無関係である。二値スイッチ又は検出器は、この測定点への溶融材料の到着時刻ｔにすぐに、第１の定義された信号から第２の定義された信号に、その特性時間信号を適切に変化させて、前記信号を開ループ又は閉ループの制御装置に直接送る。本方法は、この時間信号の変化に基づくだけで、少なくとも１つの射出装置の射出速度Ｖ、少なくとも１つのノズルに対する射出終了、射出前の溶融材料の温度Ｔを制御する、及び／又は、開ループ又は閉ループの方式で、その後の工程を開始させる。かかるその後の工程は、たとえば、さらなる射出装置を起動する、及び／又はさらなるノズルを開くこととすることができる。
【発明の効果】
【００１８】
本発明による本方法では、溶融物の到着時刻ｔだけを捕捉することが必要であり、二値検出器として、安価な構成要素を使用することができる。先行技術による方法とは大違いで、この方法では、時間依存の測定カーブの記録、解釈及び評価を全く行わない。具体的には、トリガー値を設定する必要が全くない。このようなデジタル検出器を使用すると、具体的には、成形型及び溶融物の温度値に無関係であり、測定点に近接するキャビティの幾何的条件に無関係であり、且つ、他の工程に固有のパラメータに無関係である。したがって、具体的な値を設定するために、いずれもの資格を有する要員も必要でない。
【００１９】
以下に、本発明を、図面を含めて、より詳細に述べる。
【図面の簡単な説明】
【００２０】
【図１】キャビティ及びノズルを備える、本発明によるシステムの概略図である。
【図２ａ】イベントｔの前後で、検出器の信号出力を示す図である。
【図２ｂ】先行技術による方法を表す図である。
【図２ｃ】本発明による方法を表す図である。
【図２ｄ】二値検出器又はスイッチの実施例を表す図である。
【図３ａ】開いた状態でその後の圧縮を受けるキャビティに対してノズルを備える、本発明によるシステムの概略図である。
【図３ｂ】閉じた状態でその後の圧縮を受けるキャビティに対してノズルを備える、本発明によるシステムの概略図である。
【図４】異なる材料を用いてキャビティを充填することができる、キャビティ及び２つの射出装置を備える、本発明によるシステムの概略図である。
【図５ａ】キャビティ及び射出ノズルを備え、且つ流体射出工程のための流体射出装置を備える、本発明によるシステムの、流体射出前の概略図である。
【図５ｂ】キャビティ及び射出ノズルを備え、且つ流体射出工程のための流体射出装置を備える、本発明によるシステムの、流体射出後の概略図である。
【図６ａ】測定点が継ぎ目に置かれて、継ぎ目を有する成形品が生成される、ホット・チャネル及びキャビティそれぞれに対して複数のノズルを備える、本発明によるシステムを、成形品がまだ仕上がっていない状態で示す概略図である。
【図６ｂ】測定点が継ぎ目に置かれて、継ぎ目を有する成形品が生成される、ホット・チャネル及びキャビティそれぞれに対して複数のノズルを備える、本発明によるシステムを、成形品が仕上がった状態で示す概略図である。
【図７ａ】２つの測定点が継ぎ目に置かれる、図６によるシステムを、成形品がまだ仕上がっていない状態で示す概略図である。
【図７ｂ】２つの測定点が継ぎ目に置かれる、図６によるシステムを、成形品が仕上がった状態で示す概略図である。
【図８】継ぎ目を有する成形品を有するキャビティに対して異なる塊状物質を用いる２つの射出装置を備える、本発明によるシステムの概略図である。
【図９】ホット・チャネル及び同じキャビティに対して複数のノズルを備える、本発明によるシステムの概略図である。
【図１０ａ】溶融物の前面の到着を捕捉するための測定点を備える成形型の一部分を示し、直接キャビティ表面上で溶融物の前面の到着が捕捉されることを表す図である。
【図１０ｂ】溶融物の前面の到着を捕捉するための測定点を備える成形型の一部分を示し、成形型壁中でキャビティ表面に接近して溶融物の前面の到着が捕捉されることを示す図である。
【図１０ｃ】溶融物の前面の到着を捕捉するための測定点を備える成形型の一部分を示し、突き出しピン又は測定用ピンの背後で溶融物の前面の到着が捕捉されることを示す図である。
【発明を実施するための形態】
【００２１】
参照符号が、両方の図面中に保持された。
【００２２】
図１に、成形型４によって囲まれたキャビティ３中に成形品２を製造するための、本発明による処理システム１を示す。製造中、射出装置５が、溶融材料６を供給されて、たとえば、スクリュー供給部を通して、それをノズル８に移送し、ノズルは、チャネル９を介してキャビティ３に接続される。溶融材料６は、キャビティ３が完全に充填されるまで、その中に入る。ここで、開ループ又は閉ループの制御１０によって、工程が、圧力保持に切り替えられる。
【００２３】
ノズル８の領域中の加熱装置１０が、ノズル８中の溶融物に影響することができ、それによって、溶融物の粘度を変化させることができる。暖められた溶融物は、粘度がより低く、その結果、より冷えた溶融物より速くキャビティ３に流れ込む。したがって、流速は、ノズル８上の温度によって制御することができる。他方では、スクリュー供給速度も、流速に関係する。最後に、システムは、さらに、ノズル８とキャビティ３の間に摺動体１２を有し、摺動体１２を閉じることによって、射出を終了させることができる。
【００２４】
本発明によれば、処理システム１は、少なくとも１つの測定点１３を含み、測定点１３は、二値検出器１４に結合される。検出器１４は、測定点１３への溶融物前面１５の到着時刻ｔにおいて、その状態を変化するように構成される。検出器１４は、二値検出器であるので、二値検出器１４は、２つの状態だけを取ることができる。開ループ又は閉ループの制御装置１０が、そのような状態変化に基づき、開ループ又は閉ループの方式で射出を制御する。これによって、具体的には、射出装置の射出速度を変化させる、射出前の溶融材料６の温度を閉ループ制御する、及び／又は、たとえば、摺動体１２によってノズル８の後への射出を終了させることができる。
【００２５】
本実例では、測定点１３は、溶融材料６の流路が、そこで終わる、すなわち、キャビティ３の末端部であるポイントに接近して優先的に配置される。したがって、溶融物前面１５の到着を測定するとすぐ、キャビティ３が完全に充填されたと推定することができ、それに基づき、たとえば、充填フェーズの工程を完了させて、保持フェーズを開始させることができる。
【００２６】
測定点１３への溶融物前面１５の到着は、二値検出器１４によって、異なるポイントで捕捉することができる。具体的には、キャビティ３に隣接する、又はキャビティ壁中でキャビティ３に近接する測定要素によって、捕捉することができる。他方、適切な測定要素を、突き出しピン１８の背後に、又は測定用ピン１８の背後に取り付けることができる。たとえ測定要素が、キャビティ３から遠くに配置された場合でも、測定点１３、すなわち、検出器１４が他の状態となるために、溶融物前面１５が通る必要のある決定点は、常に直接キャビティ壁上に在る。
【００２７】
上述の検出器１４について決定的なことは、ある一定の期間、測定値を測定し、記録し、さらに解釈する必要がある先行技術とは違って、二値検出器１４の変化だけを捕捉する必要があることである。ニッケル・クロム／ニッケル及び／又は適切な補償線などの特別の熱電対材料の線及び接続部を、正確な測定値を得るために使用することが必要な熱電対による温度測定とは対照的に、従来のように絶縁された１又は２つのコアの銅線が、現在の場合には十分である。同じことが、圧力測定にも適用される。圧電物質によって圧力を測定するために、少なくとも１０１２オームの絶縁シースを有する、高度に絶縁された線及び接続部が、干渉信号を遮断することを可能にするために必要となる。しかし、検出器１４の目的のためには、それは、原理上、２つの状態を区別することだけが可能であればよい。このため、圧力測定要素に対する線及び接続部の観点からの特別の要件がこの目的のためには全く必要でなく、単に絶縁された銅線、１又は２つのコア、及び市販の接続部であれば全体として十分である。したがって、二値検出器１４を使用すると、基本的に、時間依存の測定データの評価より安価で、かつ、より簡単である。
【００２８】
図２ａに、実施例として時刻ｔにおける信号の変化を示す。ここでは、検出器１４が変化すると、出力信号が、０から１に変化する。
【００２９】
図２ｂに、先行技術による方法を示す。先行技術によれば、従来の測定センサ２１が、成形型４中でキャビティ３に接近して、又は直接キャビティに接して配置される。測定センサ２１は、通例、温度又は速度のセンサである。測定線２５によって、測定センサ２１と測定評価及び解釈装置２２とが接続される。測定線は、使用する測定要素のタイプに応じて、特別に構成する必要がある。具体的には、測定線は、温度測定が実施されるとき、ＮｉＣｒ／Ｎｉ又は対応する代用線などのサーモワイヤ（thermowire）線であり、或いは、圧力測定が実施されるとき、高度に絶縁された線である。同じように、光学的測定のためには、それは、光導体である必要があるはずである。成形型は、通例、図示していない成形型ホルダーによって囲まれるので、図示しないコネクタが、移行部で必要となる。ついで、このコネクタは、材料又は絶縁値に関し、線２５と同じ要件を課せられ、前記コネクタに付随する。これらの事情はすべて、高価な測定センサ２１に加えて、測定装置をより高価なものにする。測定評価及び解釈装置２２上で、すべての取り込まれた測定値が、変換され、解釈され、そして分析される。熱電対の温度信号からの測定信号は、補償点で捕捉する必要があり、次いで、その上で、温度が、測定され、テーブルによって解釈される。評価に続き、たとえば、所定の温度ジャンプ又は圧力増加を決定した後、最終的に、開ループ又は閉ループの制御装置１０に、制御値線２６を介して信号が与えられる。この制御値線は、今度は、従来の銅線とすることができる。制御装置１０は、この信号２６の到着に基づき、開ループ又は閉ループの制御コマンド２４を発行する、開ループ又は閉ループの方式で射出成形動作の次の工程を、希望どおりに制御する。測定評価及び解釈装置２２及び開ループ又は閉ループの制御装置は、両方の装置を含む筺体２７中に一緒に収容することもできるが、それは、いかなる簡単化にもならない。
【００３０】
図２ｃに、本発明による方法を示す。この方法によれば、二値検出器１４が、たとえば成形型４中でキャビティ３に接近して、又はキャビティに接して配置される。二値検出器１４は、２つの状態を取ることだけができる検出器であるので、簡単な銅線、すなわち１又は２つのコアが、制御値線２６として設けられ、制御値線２６によって、検出器１４と開ループ又は閉ループの制御装置１０とが接続される。制御装置１０は、信号２６の到着に基づいて、開ループ又は閉ループの制御コマンド２４を発行する、開ループ又は閉ループの方式で射出成形動作の次の工程を、希望どおりに最終的に制御する。
【００３１】
二値検出器１４は、たとえば、図２ｄに示すように、前面ダイアフラム２８を含み、それは、溶融物前面が到着するとすぐに、溶融物によってわずかに後退する。このダイアフラム２８の背後に、絶縁部２９を備える導体２６を、非常に小さい隙間を挟んで背後に取り付けることができ、導体２６は、溶融物が到着するとすぐに、後退するダイアフラムと電気的な接触状態になり、このために、信号「１」を開ループ又は閉ループの制御装置１０に伝達する。この場合、成形型内の単一コアの制御値線２６で十分である。なぜなら、電気回路を、検出器１４のダイアフラム２８を介して、たとえば、検出器から成形型４へのより線を介して閉じることができるからである。成形型の外側では、グラウンド・ワイヤ２３が、開ループ又は閉ループの制御装置１０に最終的に接続している。これは、例示の実施例であり、そこでは、二値センサが、圧力に対して反応する。しかし、それは、原理的に、圧力センサと異なる。なぜなら、二値センサは、２つの状態を取ることだけができ、圧力量に関する、いかなる値も、具体的には測定カーブを全く提供しないからである。したがって、測定値を評価し解釈することが必要となるどのような第２のステップも全く後に続かない。これに反して、公知の方法によれば、評価や解釈が必要となる。
【００３２】
開ループ又は閉ループの制御装置１０では、制御値線２６の２つの接続部の間に、電圧が印加される。電圧が維持されている限り、流頭はまだ到着していないといえる。電圧がゼロに低下すると、流頭が到着したことになる。ここで、開ループ又は閉ループの制御装置１０は、開ループ又は閉ループの制御コマンド２４を発行する。
【００３３】
本発明は、上述した二値検出器のような、例示の実施例には限定されない。ここでは、要件を満たす、さらなる二値検出器又はスイッチについて、容易に述べることができる。具体的には、二値検出器１４は、測定要素を含むことができ、それは、機械的に、光学的に、熱的に、容量的に、誘導的に、電磁的に、電気的に、又は化学的に時刻ｔを捕捉する。
【００３４】
ここで述べた二値検出器１４は、必ずしも、キャビティに対して同一平面上に取り付ける必要はない。穴が、キャビティ３まで連続していなくて、キャビティに対して薄い壁だけが存在する場合、この二値検出器１４は、このような穴中で用いることもできる。薄い壁は、圧力をダイアフラム２８まで最終的に伝達する。
【００３５】
図３に、射出圧縮の方法を示す。この方法によれば、第１の段階で、射出成型と同様に、溶融材料６をキャビティ３中に注入するが、しかし、前記キャビティは、完全には充填されない。図３ａに、この第１のステップの終了時で、充填状態の実例を示す。第２のステップで、キャビティ３を囲む２つの成形型の半分４が、圧縮工程のために最終的に移動されて一緒になる。ここで、溶融材料６は、図３ｂに示すように、キャビティ３中全体にわたって分散される。一方では、第１のステップの後の充填状態が、第２のステップで金型を満たすのに完全に適切であり、しかし、他方では過充填されないことが重要である。この目的を達成するために、本発明によれば、適切な測定点１３に二値検出器１４を結合することができ、二値検出器１４は最適な充填状態を検出する。開ループ又は閉ループの制御装置は、この時刻ｔで、キャビティ３の充填を中断させ、成形型の半分４を閉じ始める。
【００３６】
図４に、さらなる実例、すなわち多成分の成形品２の製造を述べる。ここでもまた、射出動作が中止され、その後に次の方法ステップが開始される。この方法ステップは、さらなる射出装置を起動するステップであり、そこでは、たとえば、別の材料又は同じ材料の別の特性の材料（たとえば、色）が、溶融材料６として使用される。やはり、二値検出器１４による溶融物前面１５を決定することによって、最適な充填状態、及び第１の射出装置５を停止させ、次の工程を開始させるための正確な時刻ｔ、を誘導することができる。
【００３７】
図５に、流体射出工程の実例を示す。この工程では、やはり、ある一定量の溶融材料６が、図５ａに示すように、キャビティ３中に注入される。次のフェーズでは、流体が、流体射出のための装置１９を介して、溶融材料６中に最終的に注入され、その結果、この溶融材料６は、キャビティ３の縁部まで押し込まれる。ここで、また、充填状態が、二値検出器１４によって、決定される。
【００３８】
図６、図７、図８では、キャビティ３それぞれが、少なくとも２つのノズル８によって、同時に充填される。このため、継ぎ目が、各場合、２つの流頭が出会う位置に生成される。このような位置は、第１に機械的にそれほど負荷可能でなく、第２に光学的に検出可能である。さらに、複数の射出装置５が使用される場合、また、図８に示すように、異なる溶融材料６を使用することができる。これらすべての場合、継ぎ目１７の場所は、所定のポイントに配置されることになる。
【００３９】
これを達成するために、図６に示すように、第１の測定点１３に、本発明による検出器１４を備えることができる。検出器１４の切り替わり時にすぐに、たとえば、第１の検出器１４への溶融材料６の供給が、停止され、したがって残されたキャビティ３が、第２のノズル８のみによって充填される。
【００４０】
図７では、２つの測定点１３に検出器１４を設けている。第２の検出器１４によって、今度は、キャビティ３が、第２のノズル８によって、完全に充填された時点を決定することができる。他方では、ノズル９の温度制御によって、すなわちノズル８中の溶融材料６の粘度の調節によって、両方の溶融物前面１５に測定点１３を同時に通過させることができる。このような場合であっても、継ぎ目１７が、２つの測定点１３の間に位置付けられることが保証される。図６及び図７の両方の実施例は、同じ、又は異なる溶融材料６を用いて、すなわち、射出装置５及びホット・チャネル２０を用いて、又は２つの射出装置５を用いて、実施することができる。複数の射出装置５の場合では、図８に示すように、射出速度は、開ループ又は閉ループの方式で、互いに無関係に、二値検出器１４によって制御することができる。
【００４１】
図９に、さらに、多キャビティ成形型４の実施例を述べる。この実施例は、射出装置５が、溶融材料６を同じ数のキャビティ３中に、複数のノズル８を備えるホット・チャネル２０を介して注入し、各キャビティ３の末端部において、測定点１３が検出器１４と対応する。ノズル８に対する閉ループ制御によって、すべてのキャビティ３が同時に充填されるように、異なる粘度を設定することができる。
【符号の説明】
【００４２】
１  処理システム
２  成形品、多構成要素の成形品
３  キャビティ
４  成形型、成形型の半分、多キャビティ成形型
５  射出装置
６  溶融材料
７  スクリュー
８  ノズル
９  チャネル
１０  開ループ又は閉ループの制御装置
１１  加熱装置
１２  摺動体
１３  測定点
１４  二値検出器、スイッチ
１５  溶融物前面
１７  継ぎ目
１８  突き出しピン又は測定用ピン
１９  流体射出のための装置
２０  ホット・チャネル
２１  測定センサ、温度センサ、圧力センサ
２２  測定評価及び解釈の装置
２３  グラウンド・ワイヤ
２４  開ループ又は閉ループの制御コマンド
２５  測定線
２６  前面検出信号線、デジタル出力
２７  筺体
２８  ダイアフラム
２９  絶縁部
Ｔ  溶融材料の温度
Ｖ  スクリュー供給速度
ｔ  溶融物の到着時刻
【図１】
0005851993.tif 000002
【図２ｂ】
0005851993.tif 000003
【図２ｃ】
0005851993.tif 000004
【図２ｄ】
0005851993.tif 000005
【図３（ａ）】
0005851993.tif 000006
【図３（ｂ）】
0005851993.tif 000007
【図４】
0005851993.tif 000008
【図５（ａ）】
0005851993.tif 000009
【図５（ｂ）】
0005851993.tif 000010
【図６（ａ）】
0005851993.tif 000011
【図６（ｂ）】
0005851993.tif 000012
【図７（ａ）】
0005851993.tif 000013
【図７（ｂ）】
0005851993.tif 000014
【図８】
0005851993.tif 000015
【図９】
0005851993.tif 000016
【図１０（ａ）】
0005851993.tif 000017
【図１０（ｂ）】
0005851993.tif 000018
【図１０（ｃ）】
0005851993.tif 000019
【図２ａ】
0005851993.tif 000020